(57)【要約】【課題】面板材に設けられた窓開口に窓枠部材を取り付ける際のずれを防ぐことで失敗を減らし、又、取り付ける窓枠部材の大小に関わらず作業性を向上させることのできる窓枠形状を少ない部品数、加工工程数で提供することにある。【解決手段】電気機器収納用箱体の面板材に施された窓開口に設けられる検針窓であって、この検針窓は窓開口の周縁部と窓部材との間に枠部材を設けてなり、枠部材は断面図が略Ｓ字状になるように互いに逆方向に開口する窓部材嵌合溝及び面板材嵌合溝を設け、面板材嵌合溝に周縁部が当接する位置に合わせて枠部材の外面に隆起部を設けた。【選択図】図１
2009188283.tif 000002
【特許請求の範囲】
【請求項１】
電気機器収納用箱体の面板材に施された窓開口に設けられる検針窓であって、該検針窓は前記窓開口の周縁部と窓部材との間に枠部材を設けてなり、該枠部材は断面図が略Ｓ字状になるように互いに逆方向に開口する窓部材嵌合溝及び面板材嵌合溝を設け、前記面板材嵌合溝に前記周縁部が当接する位置に合わせて前記枠部材の外面に隆起部を設けたことを特徴とする窓枠形状。
【発明の詳細な説明】
【技術分野】
【０００１】
本発明は、電気機器収納用箱体に用いる窓枠部材の形状に関するものである。
【背景技術】
【０００２】
従来、窓部材の取付方法として、図３に示されるような窓部材嵌合溝２４及び面板材嵌合溝２５を逆方向に開口するように設けるとともに断面がＳ字をしたループ状の枠部材２１を用いて面板材２２に窓部材２３を取り付ける方法を用いることが考えられる。
【０００３】
しかし、ガラス嵌合溝にガラスを嵌め込んだ後に窓枠に取り付けようとすると枠部材の形が歪んで崩れるため、先に嵌め込んだガラスが外れることがあるという欠点があった。
【０００４】
又、特許文献１に記載の発明のような、押し出し成形されたアルミニウム製の枠材をループ状に屈曲させ、その両端面間を硬質の金属製のピンを差し込む方法を用いることも考えられる。
【０００５】
しかし、ピンを用いて枠材の両端を固定するため、ピンがずれて外れてしまう可能性などにより、枠材がループ状を維持できなくなる恐れがあるという欠点があった。又、枠材以外にも部品が必要となるため、コストが発生するという欠点もあった。
【０００６】
この改善策として特許文献２に記載されている発明のような、給電口の周縁面に接続され、一端にマイクロ波発生手段が接続される導波管と、その導波管内にて給電口の周縁面と対向して設けられ、給電口にて密閉容器内方向へ段差状に形成された導入窓と、断面が略Ｓ字状の溝を有し、導入窓の端面と給電口端面とに装着され、かつ導入窓の段差部の側面と導波管の内壁面とで弾性材料製のパッキンを挟持する方法を用いることが考えられる。
【０００７】
又、特許文献３に記載されている発明のような、横断面図において中間壁を介して互いに逆方向に開口するガラス装着溝及びフランジ嵌着溝を具備し、取付態様が、ガラス嵌着溝に嵌着させた状態で、フランジ嵌着溝に引き紐を全周にわたりセットし、この引き紐を操作してフランジ嵌着溝を拡開させながら、フランジ嵌着溝に車体フランジを嵌着して行う方法を用いることが考えられる。
【特許文献１】特許第２６６５３２２号
【特許文献２】特開平６−２４３９６３
【特許文献３】特開昭６２−１５７８４３
【発明の開示】
【発明が解決しようとする課題】
【０００８】
しかし、特許文献２に記載の発明では、導入窓を実際に必要となる形状よりも段差を設ける分だけ大きく形成する必要があるため部材にかかるコストが増えるという欠点がある。加えて、導入窓を嵌めたパッキンは導波管の内壁面に嵌めにくいため作業性が悪いという欠点がある。
【０００９】
又、特許文献２に記載の発明による窓枠の取付方法では、大きいサイズの物は一人で位置を合わせるのが難しく、作業性が悪いという欠点がある。
【００１０】
又、特許文献３に記載の発明では、フランジ嵌着溝に引き紐を全周においてセットし、この引き紐を操作してフランジ嵌着溝を拡張させながらフランジ嵌着溝に車体フランジを嵌着させるため、引き紐を操作している間に位置がずれることがあり、ずれを修正するための手間や、取り付けに失敗する場合があるという欠点があった。
【００１１】
又、特許文献３に記載の発明による窓枠の取付方法では、大きいサイズの物は一人で位置を合わせるのが難しく、又、ずれないように固定するのも困難なため作業性が悪いという欠点がある。
【００１２】
このため、本発明によって解決しようとする課題は、面板材に設けられた窓開口に窓枠部材を取り付ける際のずれを防ぐことで失敗を減らし、又、取り付ける窓枠部材の大小に関わらず作業性を向上させることのできる窓枠の形状を少ない部品数、加工数で提供することにある。
【課題を解決するための手段】
【００１３】
上記した課題を解決するためになされた本発明の窓枠取付方法は、電気機器収納用箱体の面板材に施された窓開口に設けられる検針窓であって、この検針窓は窓開口の周縁部と窓部材との間に枠部材を設けてなり、枠部材は断面図が略Ｓ字状になるように互いに逆方向に開口する窓部材嵌合溝及び面板材嵌合溝を設け、面板材嵌合溝に周縁部が当接する位置に合わせて枠部材の外面に隆起部を設けたことを特徴とする窓枠形状。
【発明の効果】
【００１４】
本発明の窓枠形状によれば、面板材嵌合溝に周縁部が当接する位置に合わせて枠部材の外面に隆起部を設けたため、窓部材を取り付けた枠部材を周縁部に嵌め合わせる際にずれるのを防ぐことができるため、作業性の向上が図れる。
【００１５】
又、面板材嵌合溝に周縁部が当接する位置に合わせて枠部材の外面に隆起部を設けたため一人で作業する際であっても、取り付ける失敗を減らすことが出来るため、作業性の向上が図れる。
【発明を実施するための最良の形態】
【００１６】
本発明では、部品数を増やすことなく枠部材を取り付ける際に失敗する恐れを少なくした。
【実施例１】
【００１７】
以下、本発明の実施の形態を説明する。
電気機器収納用箱体の面板材２に施された窓開口に設けられる検針窓であって、この検針窓は窓開口の周縁部と窓部材３との間に枠部材１を設けてなり、枠部材１は断面図が略Ｓ字状になるように互いに逆方向に開口する窓部材嵌合溝４及び面板材嵌合溝５を設け、面板材嵌合溝５に周縁部が当接する位置に合わせて枠部材１の外面の円周に隆起部６を設けることで、窓部材３を取り付ける際に面板材嵌合溝５の周囲に廻らせた紐を引いて取り付ける場合であっても、ずれるのを防ぐことができるため作業性の向上を図ることができる。
【実施例２】
【００１８】
電気機器収納用箱体の面板材１２に施された窓開口に設けられる検針窓であって、この検針窓は窓開口の周縁部と窓部材１３との間に枠部材１１を設けてなり、枠部材１１は断面図が略Ｓ字状になるように互いに逆方向に開口する窓部材嵌合溝１４及び面板材嵌合溝１５を設け、面板材嵌合溝１５に周縁部が当接する位置に合わせて枠部材１１の外面に部分的に隆起部１６を設けることで、窓部材１３を取り付ける際に面板材嵌合溝１５の周囲に廻らせた紐を引いて取り付ける場合であっても、ずれるのを防ぐことができるため作業性の向上を図ることができる。
【図面の簡単な説明】
【００１９】
【図１】本発明の実施例１における、部分断面斜視図である。
【図２】本発明の実施例２における、部分断面斜視図である。
【図３】従来技術における部分断面斜視図である。
【符号の説明】
【００２０】
１、１１、２１    枠部材
２、１２、２２    面板材
３、１３、２３    窓部材
４、１４、２４    窓部材嵌合溝
５、１５、２５    面板材嵌合溝
６、１６    隆起部
【図１】
2009188283.tif 000003
【図２】
2009188283.tif 000004
【図３】
2009188283.tif 000005